(57)【要約】【課題】ペン入力等といった指以外での入力が可能であって、かつ、操作面側に位置する基板での不要な変形や損傷の発生を抑制することのできる静電容量型入力装置および入力機能付き表示装置を提供すること。【解決手段】静電容量型入力装置１および入力機能付き表示装置１００では、第１基板１０において第２基板２０と対向する第１面１０ａ側に押圧位置検出用の第１電極１１が設けられ、可撓性の第２基板２０の第１面２０ａには押圧位置検出用の第２電極２１が複数設けられている。このため、ペン等で第２基板２０が押圧されると、第１電極１１と第２電極２１との間の静電容量が増大するので、押圧位置を検出することができる。第１基板１０と第２基板２０との間には、ゲル状シート４１ａからなる弾性部材４１が設けられている。【選択図】図２
2011028476.tif 000002
【特許請求の範囲】
【請求項１】
第１基板と、
該第１基板に対して対向配置された可撓性の第２基板と、
前記第１基板において前記第２基板と対向する面側、あるいは前記第１基板に対して前記第２基板とは反対側に設けられた押圧位置検出用の第１電極と、
前記第２基板に設けられた押圧位置検出用の第２電極と、
前記第１基板と前記第２基板との間に設けられた絶縁性の弾性部材と、
を有することを特徴とする静電容量型入力装置。
【請求項２】
前記第２基板は、プラスチックシートであることを特徴とする請求項１に記載の静電容量型入力装置。
【請求項３】
前記弾性部材は、前記第１基板および前記第２基板に重ねて配置されたゲル状シートであることを特徴とする請求項１または２に記載の静電容量型入力装置。
【請求項４】
前記ゲル状シートは、前記第１基板および前記第２基板に粘着していることを特徴とする請求項３に記載の静電容量型入力装置。
【請求項５】
前記ゲル状シートは、２０℃の温度条件下での弾性率が１×１０4Ｎ／ｍ2以上、かつ、１×１０8Ｎ／ｍ2以下であることを特徴とする請求項３または４に記載の静電容量型入力装置。
【請求項６】
前記第２基板の前記第１面、前記第２基板と前記ゲル状シートとの間、および前記ゲル状シートと前記第１基板との間のうちのいずれかには、前記第２基板の外周縁に沿って遮光部材が設けられていることを特徴とする請求項３乃至５の何れか一項に記載の静電容量型入力装置。
【請求項７】
前記第１基板は、前記第２基板の端縁から張り出した張り出し部を備え、
当該張り出し部には、前記第２基板の外周縁に沿って遮光部材が設けられていることを特徴とする請求項３乃至５の何れか一項に記載の静電容量型入力装置。
【請求項８】
請求項１乃至７の何れか一項に記載の静電容量型入力装置を備えた入力機能付き表示装置であって、
前記第１基板に対して前記第２基板側とは反対側に画像生成装置が重ねて設けられていることを特徴とする入力機能付き表示装置。
【発明の詳細な説明】
【技術分野】
【０００１】
本発明は、電極に結合する静電容量の変化に基づいて入力位置を検出する静電容量型入力装置、および当該静電容量型入力装置を備えた入力機能付き表示装置に関するものである。
【背景技術】
【０００２】
携帯電話、カーナビゲーション、パーソナルコンピューター、券売機、銀行の端末等の電子機器では、近年、液晶装置等の表面に、タッチパネルと称せられる入力装置が配置され、液晶装置の画像表示領域に表示された画像を参照しながら、情報の入力が行えるものがある。このような入力装置のうち、静電容量型入力装置は、複数の入力位置検出用の電極の各々に対して、結合している静電容量を監視する。従って、複数の入力位置検出用の電極のうちのいずれかに指が近接すると、指が近接した電極では、指との間に生じた静電容量分だけ、静電容量が増大するので、指が近接した電極を特定することができる（例えば、特許文献１）。
【先行技術文献】
【特許文献】
【０００３】
【特許文献１】特開２００３−９９１８５号公報
【発明の概要】
【発明が解決しようとする課題】
【０００４】
しかしながら、特許文献１に記載の静電容量型入力装置では、導体としての指と入力位置検出用の電極との間に生じた静電容量を利用するため、特定のペンを用いない限り、抵抗膜型入力装置のようなペン入力ができないという問題点がある。
【０００５】
ここに本願発明者は、第１基板と第２基板とを対向配置させるとともに、第１基板側および第２基板側の各々に対して押圧位置検出用の電極を設けた静電容量型入力装置を提案するものである。かかる静電容量型入力装置では、第２基板が押圧されると、押圧個所で第１基板側の電極と第２基板側の電極との離間距離が狭まる。従って、押圧個所では電極間の静電容量が変化するので、入力位置を検出することができる。それ故、静電容量型入力装置であってもペン入力が可能となる。
【０００６】
しかしながら、かかる静電容量型入力装置では、第２基板として可撓性基板を用い、かつ、第１基板と第２基板との間に空気層が介在しているため、第２基板が押圧されていない時でも第１基板に向けて変形する等の不具合や、第２基板への押圧が解除されても第２基板が元の形状に戻らない等の不具合が発生しやすいという問題点がある。また、第２基板の機械的強度が低いため、第２基板に不要な外力が加わった際に第２基板が損傷する等の問題点がある。
【０００７】
以上の問題点に鑑みて、本発明の課題は、ペン入力等といった指以外での入力が可能であって、かつ、操作面側に位置する基板での不要な変形や損傷の発生を抑制することのできる静電容量型入力装置および入力機能付き表示装置を提供することにある。
【課題を解決するための手段】
【０００８】
上記課題を解決するために、本発明に係る静電容量型入力装置は、第１基板と、該第１基板に対して対向配置された可撓性の第２基板と、前記第１基板において前記第２基板と対向する面側、あるいは前記第１基板に対して前記第２基板とは反対側に設けられた押圧位置検出用の第１電極と、前記第２基板に設けられた押圧位置検出用の第２電極と、前記第１基板と前記第２基板との間に設けられた絶縁性の弾性部材と、を有することを特徴とする。
【０００９】
本発明では、第１基板において第２基板と対向する面側、あるいは第１基板に対して第２基板とは反対側に押圧位置検出用の第１電極が設けられ、可撓性の第２基板には押圧位置検出用の第２電極が設けられている。このため、第２基板が押圧されて第２基板が第１基板側に撓むと、第２基板が撓んだ箇所では、第１電極と第２電極との距離が狭まるので、かかる箇所では、第１電極と第２電極との間の静電容量が増大する。従って、第１電極あるいは第２電極の静電容量を監視すれば、第２基板に対する押圧位置を検出することができる。それ故、静電容量型入力装置であっても、ペン等といった指以外での入力が可能である。また、第１基板と第２基板との間には絶縁性の弾性部材が設けられているため、第２基板は、弾性部材によって第１基板側から支持されている。このため、第１基板と第２基板との間が空気層になっている場合に比較して、第２基板の機械的強度が高い。従って、第２基板が押圧されていない時でも第１基板に向けて変形する等の不具合や、押圧が解除された後も第２基板が変形したまま、元の形状に戻らない等の不具合の発生を抑制することができる。また、第２基板に不要な外力が加わった際に第２基板が損傷する等の問題の発生を回避することもできる。
【００１０】
本発明は、前記第２基板がプラスチックシートである場合に適用すると、特に効果的である。第２基板がプラスチックシートである場合には特に、第２基板が押圧されていない時でも第１基板に向けて変形する等の不具合や、押圧が解除された後も第２基板が変形したまま、元の形状に戻らない等の不具合の発生が発生しやすいが、本発明によれば、かかる不具合の発生を確実に抑制することができる。また、第２基板がプラスチックシートである場合には第２基板が損傷しやすいが、本発明によれば、かかる損傷の発生を確実に抑制することができる。
【００１１】
本発明において、前記弾性部材は、前記第１基板および前記第２基板に重ねて配置されたゲル状シートであることが好ましい。かかる構成を採用すれば、第１基板と第２基板との間に弾性部材を設けるのが容易である。
【００１２】
本発明において、前記ゲル状シートは、前記第１基板側および前記第２基板側に粘着していることが好ましい。このように構成すると、第２基板はゲル状シートを介して第１基板と一体化した状態になるため、第２基板の機械的強度をさらに高めることができる。
【００１３】
本発明において、前記ゲル状シートは、２０℃の温度条件下での弾性率が１×１０4Ｎ／ｍ2以上、かつ、１×１０8Ｎ／ｍ2以下であることが好ましい。ゲル状シートの弾性率が１×１０4Ｎ／ｍ2未満であると、ゲル状シートが柔らかすぎて第２基板を十分補強することができない。これに対して、ゲル状シートの弾性率が１×１０8Ｎ／ｍ2を超えると、第２基板が変形しにくくなり、ぺン入力の際に大きな筆圧を必要とする。それ故、ゲル状シートの弾性率については、１×１０4Ｎ／ｍ2以上、かつ、１×１０8Ｎ／ｍ2以下が好ましい。
【００１４】
本発明において、前記第２基板の前記第１面、前記第２基板と前記ゲル状シートとの間、および前記ゲル状シートと前記第１基板との間のうちのいずれかには、前記第２基板の外周縁に沿って遮光部材が設けられていることが好ましい。かかる構成によれば、第１基板の側から第２基板の外周縁に向けて光が漏れてきても、かかる光を遮断することができる。
【００１５】
本発明において、前記第１基板は、前記第２基板の端縁から張り出した張り出し部を備え、当該張り出し部には、前記第２基板の外周縁に沿って遮光部材が設けられている構成を採用してもよい。かかる構成によれば、第１基板の側から第２基板の外周縁に向けて光が漏れてきても、かかる光を遮断することができる。また、遮光部材が第１基板の張り出し部に設けた構成を採用すれば、例えば、静電容量型入力装置を組み立てる際、第１基板と第２基板とをゲル状シートを介して貼り合わせる前の工程、あるいは第１基板と第２基板とをゲル状シートを介して貼り合わせた後の工程のいずれの工程で遮光部材を設けてもよい。従って、静電容量型入力装置の組立作業を効率よく行なうことができる。
【００１６】
本発明を適用した静電容量型入力装置は、入力機能付き表示装置に用いることができる。この場合、前記第１基板に対して前記第２基板側とは反対側に画像生成装置が重ねて設けられる。
【００１７】
本発明を適用した入力機能付き表示装置は、携帯電話、カーナビゲーション、パーソナルコンピューター、券売機、銀行の端末等の電子機器に用いられる。
【図面の簡単な説明】
【００１８】
【図１】本発明の実施の形態１に係る入力機能付き表示装置の全体構成を模式的に示す説明図である。
【図２】本発明の実施の形態１に係る入力機能付き表示装置を構成する各部材の位置関係等を模式的に示す説明図である。
【図３】本発明の実施の形態１に係る静電容量型入力装置に形成した電極の平面的なレイアウトを模式的に示す説明図である。
【図４】本発明の実施の形態１に係る静電容量型入力装置に用いた第２基板の説明図である。
【図５】本発明の実施の形態１に係る静電容量型入力装置の動作を示す説明図である。
【図６】本発明の実施の形態１の変形例に係る入力機能付き表示装置の構成を模式的に示す説明図である。
【図７】本発明の実施の形態２に係る入力機能付き表示装置の全体構成を模式的に示す説明図である。
【図８】本発明の実施の形態２に係る入力機能付き表示装置を構成する各部材の位置関係等を模式的に示す説明図である。
【図９】本発明の実施の形態３に係る入力機能付き表示装置の構成を模式的に示す説明図である。
【図１０】本発明の実施の形態３の変形例に係る入力機能付き表示装置の構成を模式的に示す説明図である。
【図１１】本発明の実施の形態４に係る入力機能付き表示装置の構成を模式的に示す説明図である。
【図１２】本発明を適用した静電容量型入力装置および入力機能付き表示装置に形成した押圧位置検出用の電極の変形例１を示す説明図である。
【図１３】本発明を適用した静電容量型入力装置および入力機能付き表示装置に形成した押圧位置検出用の電極の変形例２を示す説明図である。
【図１４】本発明に係る入力機能付き表示装置を用いた電子機器の説明図である。
【発明を実施するための形態】
【００１９】
［実施の形態１］
（全体構成）
図１は、本発明の実施の形態１に係る入力機能付き表示装置の全体構成を模式的に示す説明図である。図２は、本発明の実施の形態１に係る入力機能付き表示装置を構成する各部材の位置関係等を模式的に示す説明図であり、図２（ａ）、（ｂ）は各々、入力機能付き表示装置の平面構成を模式的に示す説明図、および断面構成を模式的に示す説明図である。なお、図２（ａ）において、静電容量型入力装置に用いた第１基板については太い実線で示し、第２基板については太くて長い点線で示し、入力領域については一点鎖線で示し、透明保護フィルムの遮光部（遮光部材）については細い実線と右上がりの実線を付した領域とによって示し、弾性部材（ゲル状シート）については二点鎖線と右下がりの点線を付した領域とによって示してある。
【００２０】
図１および図２において、本形態の入力機能付き表示装置１００は、概ね、画像生成装置としての液晶装置５と、この液晶装置５において表示光を出射する側の面に重ねて配置された静電容量型入力装置１（タッチパネル）とを有しており、静電容量型入力装置１は入力パネル２を備えている。本形態において、入力パネル２および液晶パネル５ａはいずれも矩形の平面形状を備えており、静電容量型入力装置１を平面視した際の中央領域が入力領域２ａである。また、液晶装置５において、静電容量型入力装置１の入力領域２ａに対して平面視で重なる領域が画像表示領域である。
【００２１】
液晶装置５は、透過型や半透過反射型のアクティブマトリクス型の液晶表示装置であり、透過型あるいは半透過反射型の液晶パネル５ａを備えている。液晶装置５において、液晶パネル５ａに対して静電容量型入力装置１が配置されている側とは反対側（表示光の出射側とは反対側）にはバックライト装置（図示せず）が配置されている。バックライト装置は、例えば、液晶パネル５ａに対して静電容量型入力装置１が配置されている側とは反対側に重ねて配置された透光性の導光板と、導光板の側端部に向けて白色光等を出射する発光ダイオード等の光源とを備えており、光源から出射された光は、導光板の側端部から入射した後、導光板内を伝搬しながら液晶パネル５ａに向けて出射される。導光板と液晶パネル５ａとの間には、光散乱シートやプリズムシート等のシート状光学部材が配置されることもある。
【００２２】
液晶装置５において、液晶パネル５ａに対して表示光の出射側には第１偏光板８１が重ねて配置され、その反対側に第２偏光板８２が重ねて配置されている。このため、静電容量型入力装置１は、アクリル樹脂系等といった透光性の接着剤（図示せず）によって第１偏光板８１に接着されている。
【００２３】
液晶パネル５ａは、表示光の出射側に配置された透光性の素子基板５０と、この素子基板５０に対して対向配置された透光性の対向基板６０とを備えている。対向基板６０と素子基板５０とは、矩形枠状のシール材７１により貼り合わされており、対向基板６０と素子基板５０との間においてシール材７１で囲まれた領域内に液晶層５５が保持されている。
【００２４】
素子基板５０において、対向基板６０と対向する面には複数の画素電極５８がＩＴＯ（Indium Tin Oxide）膜等の透光性導電膜により形成され、対向基板６０において、素子基板５０と対向する面には共通電極６８がＩＴＯ膜等の透光性導電膜により形成されている。なお、液晶装置５がＩＰＳ(In Plane Switching)方式や、ＦＦＳ（Fringe Field Switching）方式である場合、共通電極６８は素子基板５０の側に設けられる。また、素子基板５０が表示光の出射側に配置されることもある。素子基板５０において、対向基板６０の縁から張り出した張出領域５９には駆動用ＩＣ７５がＣＯＧ実装されているとともに、張出領域５９にはフレキシブル基板７３が接続されている。なお、素子基板５０には、素子基板５０上のスイッチング素子と同時に駆動回路を形成することもある。
【００２５】
（入力装置１の詳細構成）
本形態の静電容量型入力装置１において、入力パネル２は、ガラス板やプラスチック板等からなる透光性の第１基板１０と、ガラス板、プラスチック板、プラスチックシート等からなる透光性の第２基板２０とを備えている。第１基板１０および第２基板２０をプラスチック材料から構成する場合、プラスチック材料としては、ＰＥＴ（ポリエチレンテレフタレート）、ＰＣ（ポリカーボネート）、ＰＥＳ（ポリエーテルスルホン）、ＰＩ（ポリイミド）、ポリノルボルネン等の環状オレフィン樹脂等の耐熱性の透光性シートを用いることができる。
【００２６】
第１基板１０と第２基板２０とは、第１面１０ａ、２０ａ同士が所定の隙間を介して対向配置されており、第１基板１０と第２基板２０との間には、後述する弾性部材４１が設けられている。ここで、第２基板２０は入力操作側に配置され、第１基板１０は液晶装置５の側に配置されている。このため、第２基板２０は、第１面２０ｂを入力操作側に向けており、第１基板１０は、第２面１０ｂを液晶装置５の側に向けている。本形態の静電容量型入力装置１では、入力を行なう際、第２基板２０を押圧し、押圧個所で第２基板２０を第１基板１０に向けて撓ませる必要がある。このため、本形態では、第２基板２０としてプラスチックシートが用いられている。また、第１基板１０としてガラス板が用いられている。
【００２７】
第１基板１０は第２基板２０よりわずかに大きく、第１基板１０の端部１０ｅは、第２基板２０の端部２０ｅから張り出した張り出し部１０ｒになっている。但し、第１基板１０と第２基板２０とは、端部１０ｅ、２０ｅ以外の端部１０ｆ、２０ｆ同士、端部１０ｇ、２０ｇ同士、および端部１０ｈ、２０ｈ同士が重なっている。
【００２８】
詳しくは後述するように、第１基板１０の第１面１０ａには押圧位置検出用の第１電極１１が形成され、第２基板２０の第１面２０ａには押圧位置検出用の第２電極２１が形成されている。また、第１基板１０の第１面１０ａにおいて、張り出し部１０ｒには、第１電極１１に電気的接続する配線が形成されたフレキシブル基板３３が接続され、第２基板２０の第１面２０ａにおいて、第１基板１０の張り出し部１０ｒが位置する側の端部２０ｅには、第２電極２１に電気的接続する配線が形成されたフレキシブル基板３５が接続されている。
【００２９】
このように構成した静電容量型入力装置１において、第２基板２０の第２面２０ｂには、第２基板２０の表面を覆う透明保護フィルム９０が貼付されている。透明保護フィルム９０には、その外周縁に沿うように、黒色等の遮光部材としての矩形枠状の遮光部９１が設けられ、遮光部９１で囲まれた領域が入力領域２ａである。かかる遮光部９１は、第１基板１０および液晶パネル５ａの外周縁と重なっており、液晶装置５の光源や導光板の端部から漏れた光を遮断し、第２基板２０から表示光の出射側（入力操作側）に漏れるのを防止する。
【００３０】
（入力装置１の電極構成）
図３は、本発明の実施の形態１に係る静電容量型入力装置１に形成した電極の平面的なレイアウトを模式的に示す説明図であり、図３（ａ）、（ｂ）は各々、静電容量型入力装置１の第１基板１０に形成された第１電極１１の平面的な位置関係を示す説明図、および第２基板２０に形成された第２電極２１の平面的構成を模式的に示す説明図である。図４は、本発明の実施の形態１に係る静電容量型入力装置１に用いた第２基板２０の説明図であり、図４（ａ）、（ｂ）、（ｃ）、（ｄ）は各々、第２電極２１を構成する電極パターンの平面的な構成を示す説明図、第２基板２０をＡ−Ａ′断面図、Ｂ−Ｂ′断面図、およびＣ−Ｃ′断面図である。なお、以下の説明では、静電容量型入力装置１に用いた第１基板１０および第２基板２０の基板面で互いに交差する方向（本形態では、直交する方向）を各々Ｘ方向およびＹ方向として説明する。
【００３１】
図２（ｂ）および図３（ａ）に示すように、本形態の静電容量型入力装置１において、第１基板１０の第１面１０ａには、入力領域２ａを含む広い矩形領域の全体にわたってＩＴＯ膜からなる透光性の第１電極１１が形成されている。第１基板１０の端部１０ｅにおいて、第１電極１１の端部には端子１６が形成されており、かかる端子１６に、図１に示すフレキシブル基板３３の配線が電気的接続されている。
【００３２】
図２（ｂ）、図３（ｂ）および図４（ａ）、（ｂ）に示すように、第２基板２０の第１面２０ａにおいて、入力領域２ａの内側には複数の第２電極２１が形成されている。第２電極２１は、第１方向（矢印Ｙで示す方向）に延在する複数列の第１透光性電極パターン２１１と、第１方向に交差する第２方向（矢印Ｘで示す方向）に延在する複数列の第２透光性電極パターン２１２とを備えている。かかる第１透光性電極パターン２１１、および第２透光性電極パターン２１２は、ＩＴＯ膜等の第１導電膜４ａにより形成されている。
【００３３】
本形態において、第１透光性電極パターン２１１と第２透光性電極パターン２１２とは第２基板２０の同一面上（第１面２０ａ）に同一層により形成されている。このため、第２基板２０の第１面２０ａには、第１透光性電極パターン２１１と第２透光性電極パターン２１２との交差部２１８が複数、存在する。そこで、本形態では、第１透光性電極パターン２１１はＹ方向で繋がって延在している一方、第２透光性電極パターン２１２は交差部２１８で途切れている。また、第１透光性電極パターン２１１および第２透光性電極パターン２１２の上層側には、シリコン酸化膜等からなる透光性の層間絶縁膜２１４が形成され、かかる層間絶縁膜２１４の上層には、交差部２１８で途切れている第２透光性電極パターン２１２同士を電気的に接続する透光性の中継電極２１５が形成されている。このため、第２透光性電極パターン２１２はＸ方向で電気的に接続されている。本形態において、中継電極２１５は、ＩＴＯ膜等の第２導電膜４ｂにより形成されている。また、中継電極２１５の上層にはシリコン酸化膜等からなる保護膜２１６が形成されている。なお、層間絶縁膜２１４については交差部２１８のみに形成してもよい。
【００３４】
第１透光性電極パターン２１１および第２透光性電極パターン２１２は各々、交差部２１８で挟まれた領域に菱形形状の大面積のパッド部２１１ａ、２１２ａ（大面積部分）を備えており、第１透光性電極パターン２１１において交差部２１８に位置する連結部分２１１ｃは、パッド部２１１ａより幅の狭い細幅形状になっている。また、中継電極２１５も、パッド部２１１ａ、２１２ａより幅の狭い細幅形状で短冊状に形成されている。
【００３５】
第２基板２０の第１面２０ａにおいて入力領域２ａの外側領域には、第１透光性電極パターン２１１および第２透光性電極パターン２１２の各々から延在する配線２７ａ、２７ｂが形成されている。配線２７ａ、２７ｂの端部は、端子になっており、かかる端子に対して、図１に示すフレキシブル基板３５の配線が電気的接続されている。
【００３６】
本形態では、配線２７ａ、２７ｂを構成するにあたって、図４（ａ）、（ｂ）、（ｃ）、（ｄ）に示すように、まず、第１透光性電極パターン２１１および第２透光性電極パターン２１２を構成する第１導電膜４ａを配線２７ａ、２７ｂの形成領域に沿って延在させてある。また、本形態では、中継電極２１５を構成する第２導電膜４ｂを配線２７ａ、２７ｂに積層させてある。このため、配線２７ａ、２７ｂは、第１導電膜４ａと第２導電膜４ｂとの多層構造になっており、配線抵抗が低い。
【００３７】
（第１基板１０と第２基板２０との間の構成）
本形態において、第１基板１０と第２基板２０との間には絶縁性および透光性を備えた弾性部材４１が設けられている。本形態において弾性部材４１は、第１基板１０と第２基板２０との間において第１基板１０および第２基板２０に重なるように配置された透光性のゲル状シート４１ａである。ゲル状シート４１ａは、透光性および弾性を備えたシリコーン樹脂、ウレタン樹脂、アクリル樹脂等からなり、その厚さは１００〜５００μｍである。本形態では、ゲル状シート４１ａとしては、弾性率が１×１０4Ｎ／ｍ2以上、かつ、１×１０8Ｎ／ｍ2以下のものが用いられている。かかるゲル状シート４１ａとしては、株式会社タイカ製の商品名「αＧＥＬ（登録商標）」を例示することができる。
【００３８】
ここで、ゲル状シート４１ａは、粘着性を備えており、ゲル状シート４１ａは、第１基板１０の第１面１０ａの側、および第２基板２０の第１面２０ａの側に粘着している。このため、第１基板１０と第２基板２０とは、ゲル状シート４１ａによって一体化されており、第１基板１０と第２基板２０との間には空気層が介在しない。
【００３９】
（静電容量型入力装置１および入力機能付き表示装置１００の製造方法）
本形態の入力機能付き表示装置１００を製造するには、まず、液晶装置５を組み立てる一方、第１電極１１等を備えた第１基板１０、および第２電極２１等を備えた第２基板２０を製作しておく。次に、第１基板１０にフレキシブル基板３３を接続した後、第１基板１０の第２面１０ｂを液晶装置５に貼付する。かかる方法によれば、第１基板１０にフレキシブル基板３３を接続する際の熱や応力の影響が液晶装置５の側に及ばないという利点がある。なお、第１基板１０の第２面１０ｂを液晶装置５に貼付した後、第１基板１０にフレキシブル基板３３を接続してもよい。
【００４０】
一方、第２基板２０については、第１面２０ａ側に対してゲル状シート４１ａを貼付する。かかるゲル状シート４１ａは通常、ゲル状シート４１ａの両面が剥離シートに接する状態の大判シート状あるいはロール状として供給される。従って、第２基板２０の第１面２０ａ側にゲル状シート４１ａを貼付する工程では、ゲル状シート４１ａの一方面から剥離シートを剥がした状態でゲル状シート４１ａを第２基板２０の第１面２０ａ側に貼付した後、ゲル状シート４１ａを第２基板２０と略同一サイズに切断すればよい。なお、予め、ゲル状シート４１ａを第２基板２０と略同一サイズに切断した後、ゲル状シート４１ａを第２基板２０の第１面２０ａ側に対して貼付してもよい。いずれの場合も、第２基板２０にフレキシブル基板３５を接続した後、第２基板２０の第１面２０ａにゲル状シート４１ａを貼付することが好ましい。
【００４１】
次に、ゲル状シート４１ａの他方面側に対して第１基板１０の第１面１０ａを重ね、第１基板１０と第２基板２０とをゲル状シート４１ａによって一体化される。次に、第２基板２０の第２面２０ｂに対して矩形枠状の遮光部９２を有する透明保護フィルム９０を貼付する。
【００４２】
（静電容量型入力装置１および入力機能付き表示装置１００の別の製造方法）
上記形態では、第２基板２０にしてゲル状シート４１ａを貼付した後、第１基板１０と第２基板２０とをゲル状シート４１ａによって一体化したが、第１基板１０にゲル状シート４１ａを貼付した後、第１基板１０と第２基板２０とをゲル状シート４１ａによって一体化してもよい。
【００４３】
また、上記形態では、第１基板１０と第２基板２０とをゲル状シート４１ａによって一体化した後、第２基板２０の第２面２０ｂに対して矩形枠状の遮光部９２を有する透明保護フィルム９０を貼付したが、第１基板１０と第２基板２０とをゲル状シート４１ａによって一体化する前に、第２基板２０の第２面２０ｂに対して透明保護フィルム９０を貼付してもよい。その場合、第２基板２０にしてゲル状シート４１ａおよび矩形枠状の透明保護フィルム９０を貼付した後、ゲル状シート４１ａおよび透明保護フィルム９０を切断する方法や、第２基板２０にゲル状シート４１ａおよび矩形枠状の透明保護フィルム９０を貼付した後、ゲル状シート４１ａ、第２基板２０および透明保護フィルム９０を切断する方法を採用してもよい。かかる方法によれば、ゲル状シート４１ａ、第２基板２０および透明保護フィルム９０の外周縁を揃えることができる。
【００４４】
（静電容量型入力装置１の動作）
図５は、本発明を適用した静電容量型入力装置１の動作を示す説明図である。本形態の静電容量型入力装置１において、第１電極１１にフレキシブル基板３３を介してグランド電位等の定電位を印加するとともに、フレキシブル基板３５を介して出力された信号に基づいて、複数の第２電極２１（第１透光性電極パターン２１１および第２透光性電極パターン２１２）に結合する静電容量を監視する。かかる監視において、図５（ａ）に示すように、第２基板２０への指の近接等がない状態では、複数の第２電極２１からは、パッド部２１１ａ、２１２ａと第１電極１１との対向部分に生成される静電容量Ｃ0が検出される。
【００４５】
この状態で、図５（ｂ）に示すように、第２基板２０の第２面２０ｂに指が接近すると、接近個所に位置する第２電極２１（第１透光性電極パターン２１１および第２透光性電極パターン２１２）では、静電容量Ｃ0に対して、指とパッド部２１１ａ、２１２ａとの間に生成された静電容量Ｃ1が加算された静電容量が検出される。従って、第２基板２０に対する指の接近位置を検出することができる。
【００４６】
また、図５（ｃ）に示すように、ペンで第２基板２０の第２面２０ｂを押圧すると、押圧個所では、第２基板２０が第１基板１０に向けて撓んで、第２電極２１（第１透光性電極パターン２１１および第２透光性電極パターン２１２）が第１電極１１に接近する。その結果、押圧個所では、パッド部２１１ａ、２１２ａと第１電極１１との対向部分に生成される静電容量Ｃ0が静電容量Ｃ2（Ｃ0＜Ｃ2）に増大し、かかる増大は、第２電極２１（第１透光性電極パターン２１１および第２透光性電極パターン２１２）を介して検出される。従って、ペンで第２基板２０を押圧した個所を検出することができる。
【００４７】
なお、図５（ｂ）に示す状態から、指で第２基板２０を押圧した場合、押圧個所の第２電極２１（第１透光性電極パターン２１１および第２透光性電極パターン２１２）からは、静電容量Ｃ1に静電容量Ｃ2を加算した容量が検出される。従って、図５（ｂ）に示す状態で、入力すべき情報を選択し、図５（ｃ）に示す方法で、入力すべき情報を確定してもよい。
【００４８】
（本形態の主な効果）
以上説明したように、本形態の静電容量型入力装置１および入力機能付き表示装置１００では、第１基板１０において第２基板２０と対向する第１面１０ａ側に押圧位置検出用の第１電極１１が設けられ、可撓性の第２基板２０の第１面２０ａには押圧位置検出用の第２電極２１が複数設けられている。このため、図５（ｃ）を参照して説明したように、第２基板２０が押圧されて第２基板２０が第１基板１０側に撓むと、第２基板２０が撓んだ箇所では、第１電極１１と第２電極２１との距離が狭まるので、かかる押圧箇所では、第１電極１１と第２電極２１との間の静電容量が増大する。従って、複数の第２電極２１の各々の静電容量を監視すれば、第２基板２０に対する押圧位置を検出することができる。それ故、静電容量型入力装置１であっても、ペン等といった指以外での入力が可能である。
【００４９】
また、第１基板１０と第２基板２０との間には絶縁性の弾性部材４１（ゲル状シート４１ａ）が設けられているため、第２基板２０は、弾性部材４１によって第１基板１０側から支持されている。このため、第１基板１０と第２基板２０との間が空気層になっている場合に比較して、第２基板２０の機械的強度が高い。従って、第２基板２０が押圧されていない時でも第１基板１０に向けて変形する等の不具合や、押圧が解除された後も第２基板２０が変形したまま、元の形状に戻らない等の不具合の発生を抑制することができる。また、第２基板２０に不要な外力が加わった際に第２基板２０が損傷する等の問題の発生を回避することもできる。また、第１基板１０と第２基板２０との間に空気層が存在しないので、第２基板２０を押圧した際のニュートンリングの発生を防止することもできる。
【００５０】
特に本形態では、第２基板２０がプラスチックシートからなるため、第２基板２０が押圧されていない時でも第１基板１０に向けて変形する等の不具合や、押圧が解除された後も第２基板２０が変形したまま、元の形状に戻らない等の不具が発生しやすいが、本形態によれば、かかる不具合の発生を確実に抑制することができる。
【００５１】
また、弾性部材４１は、第１基板１０と第２基板２０との間に積層されたゲル状シート４１ａである。このため、第１基板１０と第２基板２０とを貼り合せる際、第１基板１０と第２基板２０との間にゲル状シート４１ａを重ねて配置しておけばよい。それ故、第１基板１０と第２基板２０との間に弾性部材４１を設けるのが容易である。
【００５２】
また、ゲル状シート４１ａは粘着性を備えているため、ゲル状シート４１ａを第１基板１０の第１面ａ側および第２基板２０の第１面２０ａ側に粘着させた構成を採用することができる。このため、第１基板１０とゲル状シート４１ａとの間、および第２基板２０とゲル状シート４１ａとの間に空気層が存在しないので、第２基板２０を押圧した際のニュートンリングの発生を防止することもできる。また、第１基板１０と第２基板２０とはゲル状シート４１ａを介して一体化した状態になるため、第２基板２０の機械的強度をさらに高めることができる。
【００５３】
さらに、ゲル状シート４１ａは、弾性率が１×１０4Ｎ／ｍ2以上、かつ、１×１０8Ｎ／ｍ2以下であるため、第２基板２０を十分補強することができるとともに、ペン入力の際の筆圧を適正な範囲とすることができる。すなわち、ゲル状シート４１ａの弾性率が１×１０4Ｎ／ｍ2未満であると、ゲル状シート４１ａが柔らかすぎて第２基板２０を十分補強することができない。これに対して、ゲル状シート４１ａの弾性率が１×１０8Ｎ／ｍ2を超えると、第２基板２０が変形しにくくなり、ペン入力の際に大きな筆圧を必要とする。それ故、ゲル状シート４１ａの弾性率については、１×１０4Ｎ／ｍ2以上、かつ、１×１０8Ｎ／ｍ2以下が好ましい。
【００５４】
［実施の形態１の変形例］
図６は、本発明の実施の形態１の変形例に係る入力機能付き表示装置１００の構成を模式的に示す説明図であり、図６（ａ）、（ｂ）は各々、本発明の実施の形態１の変形例に係る入力機能付き表示装置の全体構成を模式的に示す説明図、および断面構成を模式的に示す説明図である。なお、図６（ａ）において、遮光部材としての遮光シートについては右下がりの斜線を付してある。また、本形態の基本的な構成は、実施の形態１と同様であるため、共通する部分には同一の符号を付して図示し、それらの説明を省略する。
【００５５】
図６において、本形態の入力機能付き表示装置１００も、実施の形態１と同様、画像生成装置としての液晶装置５と、この液晶装置５において表示光を出射する側の面に重ねて配置された静電容量型入力装置１とを有している。本形態において、液晶装置５は、透過型あるいは半透過反射型の液晶パネル５ａを備えており、液晶パネル５ａに対して静電容量型入力装置１が配置されている側とは反対側（表示光の出射側とは反対側）にはバックライト装置（図示せず）が配置されている。
【００５６】
静電容量型入力装置１において、入力パネル２は、ガラス板やプラスチック板等からなる透光性の第１基板１０と、ガラス板、プラスチック板、プラスチックシート等からなる透光性の第２基板２０とを備えている。本形態では、第２基板２０としてプラスチックシートが用いられ、第１基板１０としてガラス板が用いられている。第１基板１０の第１面１０ａには押圧位置検出用の第１電極１１が形成され、第２基板２０の第１面２０ａには押圧位置検出用の第２電極２１が複数形成されている。
【００５７】
第１基板１０と第２基板２０との間には絶縁性の弾性部材４１が設けられており、本形態において弾性部材４１は、第１基板１０と第２基板２０との間において第１基板１０および第２基板２０に重なるように配置されたゲル状シート４１ａである。ゲル状シート４１ａは、透光性、弾性および粘着性を備えたシリコーン樹脂等からからなり、その厚さは１００〜５００μｍである。本形態では、ゲル状シート４１ａとしては、弾性率が１×１０4Ｎ／ｍ2以上、かつ、１×１０8Ｎ／ｍ2以下のものが用いられている。
【００５８】
このように構成した静電容量型入力装置１において、液晶装置５の光源や導光板の端部から漏れた光を遮断することを目的に、実施の形態１では、第２基板２０の第２面２０ｂに矩形枠状の遮光部９１が設けられていたが、本形態において、第１基板１０とゲル状シート４１ａとの間に、第２基板２０の外周縁に沿って矩形枠状の黒色の遮光シート９９が設けられている。このような構成でも、遮光シート９９は、第１基板１０および液晶パネル５ａの外周縁と重なっている。このため、液晶装置５の光源や導光板の端部から漏れた光を遮断することができるので、第２基板２０から表示光の出射側（入力操作側）に漏れるのを防止する。その他の構成は実施の形態１と同様であるため、説明を省略する。
【００５９】
このような構成の静電容量型入力装置１および入力機能付き表示装置１００製造するには、第１基板１０の第１面１０ａ側に対して遮光シート９９を貼付した後、第１基板１０の第１面１０ａ側に対してゲル状シート４１ａを貼付する。次に、ゲル状シート４１ａを挟むように第１基板１０と第２基板２０とを重ねると、第１基板１０と第２基板２０とをゲル状シート４１ａによって一体化することができる。
【００６０】
また、第１基板１０の第１面１０ａ側に対して遮光シート９９を貼付する一方、第２基板２０の第１面２０ａ側に対してゲル状シート４１ａを貼付し、しかる後に、ゲル状シート４１ａを挟むように第１基板１０と第２基板２０とを重ねてもよい。
【００６１】
以上説明したように、本形態の静電容量型入力装置１および入力機能付き表示装置１００でも、実施の形態１と同様、静電容量型入力装置１であっても、ペン等といった指以外での入力が可能であるとともに、第２基板２０の機械的強度が高い等、実施の形態１と同様な効果を奏する。
【００６２】
なお、本形態では、第１基板１０とゲル状シート４１ａとの間に矩形枠状の遮光シート９９が設けられていたが、第２基板２０とゲル状シート４１ａとの間に矩形枠状の遮光シート９９を設けてもよい。
【００６３】
［実施の形態２］
図７は、本発明の実施の形態２に係る入力機能付き表示装置１００の全体構成を模式的に示す説明図である。図８は、本発明の実施の形態２に係る入力機能付き表示装置１００を構成する各部材の位置関係等を模式的に示す説明図であり、図８（ａ）、（ｂ）は各々、入力機能付き表示装置１００の平面構成を模式的に示す説明図、および断面構成を模式的に示す説明図である。なお、図７において、遮光シートについては右下がりの斜線を付してある。また、図８（ａ）において、静電容量型入力装置に用いた第１基板については太い実線で示し、第２基板については太くて長い点線で示し、入力領域については一点鎖線で示し、遮光シートについては細い実線と右上がりの実線を付した領域とによって示し、弾性部材（ゲル状シート）については二点鎖線と右下がりの点線を付した領域とによって示してある。また、本形態の基本的な構成は、実施の形態１と同様であるため、共通する部分には同一の符号を付して図示し、それらの説明を省略する。
【００６４】
図７および図８において、本形態の入力機能付き表示装置１００も、実施の形態１と同様、画像生成装置としての液晶装置５と、この液晶装置５において表示光を出射する側の面に重ねて配置された静電容量型入力装置１とを有している。本形態において、液晶装置５は、透過型あるいは半透過反射型の液晶パネル５ａを備えており、液晶パネル５ａに対して静電容量型入力装置１が配置されている側とは反対側（表示光の出射側とは反対側）にはバックライト装置（図示せず）が配置されている。
【００６５】
静電容量型入力装置１において、入力パネル２は、ガラス板やプラスチック板等からなる透光性の第１基板１０と、ガラス板、プラスチック板、プラスチックシート等からなる透光性の第２基板２０とを備えている。本形態では、第２基板２０としてプラスチックシートが用いられ、第１基板１０としてガラス板が用いられている。第１基板１０の第１面１０ａには押圧位置検出用の第１電極１１が形成され、第２基板２０の第１面２０ａには押圧位置検出用の第２電極２１が複数形成されている。
【００６６】
第１基板１０と第２基板２０との間には絶縁性の弾性部材４１が設けられており、本形態において弾性部材４１は、第１基板１０と第２基板２０との間において第１基板１０および第２基板２０に重なるように配置されたゲル状シート４１ａである。ゲル状シート４１ａは、透光性、弾性および粘着性を備えたシリコーン樹脂等からからなり、その厚さは１００〜５００μｍである。本形態では、ゲル状シート４１ａとしては、弾性率が１×１０4Ｎ／ｍ2以上、かつ、１×１０8Ｎ／ｍ2以下のものが用いられている。
【００６７】
ここで、静電容量型入力装置１の第１基板１０は、液晶装置５の素子基板５０とサイズが略同一である。これに対して、静電容量型入力装置１の第２基板２０は、第１基板１０よりサイズが小さく、第１基板１０は、第２基板２０の周りに第２基板２０の縁から張り出す張り出し部１０ｒ、１０ｓ、１０ｔ、１０ｕを備えている。ここで、ゲル状シート４１ａは第２基板２０と略同一サイズであり、第１基板１０の張り出し部１０ｒ、１０ｓ、１０ｔ、１０ｕには設けられていない。
【００６８】
本形態の静電容量型入力装置１では、液晶装置５の光源や導光板の端部から漏れた光を遮断することを目的に、第１基板１０の張り出し部１０ｒ、１０ｓ、１０ｔ、１０ｕには、第２基板２０の外周縁に沿って矩形枠状の遮光シート９９が設けられている。ここで、遮光シート９９は、第１基板１０および液晶パネル５ａの外周側端部と平面視で重なっている。また、遮光シート９９の内周縁９９ａは、第２基板２０の外周縁およびゲル状シート４１ａの外周縁と平面視で重なっている。このため、液晶装置５の光源や導光板の端部から漏れた光を遮光シート９９によって遮断することができるので、第２基板２０から表示光の出射側（入力操作側）に漏れるのを防止する。その他の構成は実施の形態１と同様であるため、説明を省略する。
【００６９】
このような構成の静電容量型入力装置１および入力機能付き表示装置１００製造するには、第１基板１０の第１面１０ａ側に対して遮光シート９９を貼付した後、第１基板１０の第１面１０ａ側に対してゲル状シート４１ａを貼付する。次に、ゲル状シート４１ａを挟むように第１基板１０と第２基板２０とを重ねると、第１基板１０と第２基板２０とをゲル状シート４１ａによって一体化することができる。
【００７０】
また、第１基板１０の第１面１０ａ側に対して遮光シート９９を貼付する一方、第２基板２０の第１面２０ａ側に対してゲル状シート４１ａを貼付し、しかる後に、ゲル状シート４１ａを挟むように第１基板１０と第２基板２０とを重ねてもよい。
【００７１】
このように構成した静電容量型入力装置１および入力機能付き表示装置１００でも、実施の形態１と同様、静電容量型入力装置１であっても、ペン等といった指以外での入力が可能であるとともに、第２基板２０の機械的強度が高い等、実施の形態１と同様な効果を奏する。
【００７２】
また、本形態において、第１基板１０において第２基板２０の端縁から張り出した張り出し部１０ｒ、１０ｓ、１０ｔ、１０ｕに遮光シート９９が設けられている。このため、静電容量型入力装置１を組み立てる際、第１基板１０と第２基板２０とをゲル状シート４１ａを介して貼り合わせる前の工程、あるいは第１基板１０と第２基板２０とをゲル状シート４１ａを介して貼り合わせた後の工程のいずれの工程であっても遮光シート９９を設けることができる。
【００７３】
例えば、第１基板１０の張り出し部１０ｒ、１０ｓ、１０ｔ、１０ｕに遮光シート９９およびゲル状シート４１ａを貼付した後、ゲル状シート４１ａを挟むように第１基板１０と第２基板２０とを重ね、ゲル状シート４１ａを介して第１基板１０と第２基板２０とを一体化する方法を採用することができる。また、第１基板１０の張り出し部１０ｒ、１０ｓ、１０ｔ、１０ｕに遮光シート９９を貼付する一方、第２基板２０にゲル状シート４１ａを貼付し、しかる後にゲル状シート４１ａを挟むように第１基板１０と第２基板２０とを重ね、ゲル状シート４１ａを介して第１基板１０と第２基板２０とを一体化する方法を採用することができる。さらに、基板サイズによっては、ゲル状シート４１ａを介して第１基板１０と第２基板２０とを一体化した後、第１基板１０の張り出し部１０ｒ、１０ｓ、１０ｔ、１０ｕに遮光シート９９を貼付する方法を採用してもよい。
【００７４】
［実施の形態３］
図９は、本発明の実施の形態３に係る入力機能付き表示装置１００の構成を模式的に示す説明図であり、図９（ａ）、（ｂ）は各々、本発明の実施の形態３に係る入力機能付き表示装置の全体構成を模式的に示す説明図、および断面構成を模式的に示す説明図である。なお、図９（ａ）において、透明保護フィルムの遮光部については右下がりの斜線を付してある。また、本形態の基本的な構成は、実施の形態１と同様であるため、共通する部分には同一の符号を付して図示し、それらの説明を省略する。
【００７５】
図９に示すように、本形態の入力機能付き表示装置１００も、実施の形態１と同様、画像生成装置としての液晶装置５と、この液晶装置５において表示光を出射する側の面に重ねて配置された静電容量型入力装置１とを有している。本形態において、液晶装置５は、透過型あるいは半透過反射型の液晶パネル５ａを備えており、液晶パネル５ａに対して静電容量型入力装置１が配置されている側とは反対側（表示光の出射側とは反対側）にはバックライト装置（図示せず）が配置されている。
【００７６】
静電容量型入力装置１において、入力パネル２は、ガラス板やプラスチック板等からなる透光性の第１基板１０と、ガラス板、プラスチック板、プラスチックシート等からなる透光性の第２基板２０とを備えている。本形態では、第２基板２０としてプラスチックシートが用いられ、第１基板１０としてガラス板が用いられている。第１基板１０の第１面１０ａには押圧位置検出用の第１電極１１が形成され、第２基板２０の第１面２０ａには押圧位置検出用の第２電極２１が複数形成されている。
【００７７】
第１基板１０と第２基板２０との間には絶縁性の弾性部材４１が設けられており、本形態において弾性部材４１は、第１基板１０と第２基板２０との間において第１基板１０および第２基板２０に重なるように配置されたゲル状シート４１ａである。ゲル状シート４１ａは、透光性、弾性および粘着性を備えたシリコーン樹脂等からからなり、その厚さは１００〜５００μｍである。本形態では、ゲル状シート４１ａとしては、弾性率が１×１０4Ｎ／ｍ2以上、かつ、１×１０8Ｎ／ｍ2以下のものが用いられている。なお、第２基板２０の第２面２０ｂには矩形枠状の遮光部９２を有する透明保護フィルム９０が貼付されている。
【００７８】
このように構成した入力機能付き表示装置１００において、静電容量型入力装置１の第１基板１０は、液晶装置５の素子基板５０としても利用されており、第１基板１０の第２面１０ｂには画素電極５８等が形成されている。このため、第２偏光板８２は静電容量型入力装置１の第２基板２０の第２面２０ｂに貼付されている。その他の構成は実施の形態１と同様であるため、説明を省略する。
【００７９】
このように構成した静電容量型入力装置１および入力機能付き表示装置１００でも、実施の形態１と同様、静電容量型入力装置１であっても、ペン等といった指以外での入力が可能であるとともに、第２基板２０の機械的強度が高い等、実施の形態１と同様な効果を奏する。
【００８０】
また、本形態において、第１基板１０は、液晶装置５の素子基板５０としても用いられている。このため、入力機能付き表示装置１００を構成する基板枚数が少ないため、入力機能付き表示装置１００の薄型化を図ることができる。
【００８１】
なお、本形態は、実施の形態１に対して、第１基板１０を液晶装置５の素子基板５０としても用いる構成を適用したが、実施の形態１の変形例、あるいは実施の形態２に対して、第１基板１０を液晶装置５の素子基板５０としても用いる構成を適用してもよい。
【００８２】
［実施の形態３の変形例］
図１０は、本発明の実施の形態３の変形例に係る入力機能付き表示装置１００の構成を模式的に示す説明図であり、図１０（ａ）、（ｂ）は各々、本発明の実施の形態３の変形例に係る入力機能付き表示装置の全体構成を模式的に示す説明図、および断面構成を模式的に示す説明図である。なお、図１０（ａ）において、透明保護フィルムの遮光部については右下がりの斜線を付してある。また、本形態の基本的な構成は、実施の形態１、３と同様であるため、共通する部分には同一の符号を付して図示し、それらの説明を省略する。
【００８３】
図１０に示すように、本形態の入力機能付き表示装置１００も、実施の形態１、３と同様、画像生成装置としての液晶装置５と、この液晶装置５において表示光を出射する側の面に重ねて配置された静電容量型入力装置１とを有している。本形態において、液晶装置５は、透過型あるいは半透過反射型の液晶パネル５ａを備えており、液晶パネル５ａに対して静電容量型入力装置１が配置されている側とは反対側（表示光の出射側とは反対側）にはバックライト装置（図示せず）が配置されている。
【００８４】
ここで、液晶パネル５ａはＩＰＳ方式あるいはＦＦＳ方式のパネルであり、素子基板５０の側に画素電極５８および共通電極６８が形成されている。また、液晶パネル５ａは、対向基板６０が素子基板５０に対して入力操作側に形成されている。また、対向基板６０において、素子基板５０と対向する側とは反対側の面（入力操作側の面）にはＩＴＯ膜等の透光性導電膜からなる裏面電極６９が形成されており、かかる裏面電極６９は、液晶パネル５ａが静電気や電磁波ノイズの影響を受けるのを阻止する。
【００８５】
静電容量型入力装置１において、入力パネル２は、ガラス板やプラスチック板等からなる透光性の第１基板１０と、ガラス板、プラスチック板、プラスチックシート等からなる透光性の第２基板２０とを備えている。本形態では、第２基板２０としてプラスチックシートが用いられ、第１基板１０としてガラス板が用いられている。第１基板１０の第１面１０ａには押圧位置検出用の第１電極１１が形成され、第２基板２０の第１面２０ａには押圧位置検出用の第２電極２１が複数形成されている。
【００８６】
ここで、静電容量型入力装置１の第１基板１０は、液晶装置５の対向基板６０としても利用されている。このため、第１基板１０の第１面１０ａには裏面電極６９が形成されていることになり、かかる裏面電極６９は、静電容量型入力装置１の第１電極１１として利用されている。なお、第２偏光板８２は静電容量型入力装置１の第２基板２０の第２面２０ｂに貼付されている。
【００８７】
本形態でも、実施の形態１、３と同様、第１基板１０と第２基板２０との間には絶縁性の弾性部材４１が設けられており、本形態において弾性部材４１は、第１基板１０と第２基板２０との間において第１基板１０および第２基板２０に重なるように配置されたゲル状シート４１ａである。ゲル状シート４１ａは、透光性、弾性および粘着性を備えたシリコーン樹脂等からからなり、その厚さは１００〜５００μｍである。本形態では、ゲル状シート４１ａとしては、弾性率が１×１０4Ｎ／ｍ2以上、かつ、１×１０8Ｎ／ｍ2以下のものが用いられている。なお、第２基板２０の第２面２０ｂには矩形枠状の遮光部９２を有する透明保護フィルム９０が貼付されている。その他の構成は実施の形態３と同様であるため、説明を省略する。
【００８８】
このように構成した静電容量型入力装置１および入力機能付き表示装置１００でも、実施の形態１、３と同様、静電容量型入力装置１であっても、ペン等といった指以外での入力が可能であるとともに、第２基板２０の機械的強度が高い等、実施の形態１と同様な効果を奏する。また、本形態において、第１基板１０は、液晶装置５の対向基板６０としても用いられ、裏面電極６９は、静電容量型入力装置１の第１電極１１として利用されている。このため、ＩＰＳ方式あるいはＦＦＳ方式の液晶パネル５ａに対してゲル状シート４１ａを介して第２基板２０を貼付すればよい。従って、入力機能付き表示装置１００を構成する基板枚数が少ないため、入力機能付き表示装置１００の薄型化を図ることができる等の効果を奏する。
【００８９】
［実施の形態４］
図１１は、本発明の実施の形態４に係る入力機能付き表示装置の構成を模式的に示す説明図であり、図１１（ａ）、（ｂ）は各々、本発明の実施の形態４に係る入力機能付き表示装置の全体構成を模式的に示す説明図、および断面構成を模式的に示す説明図である。なお、図１１（ａ）において、透明保護フィルムの遮光部については右下がりの斜線を付してある。また、本形態の基本的な構成は、実施の形態１と同様であるため、共通する部分には同一の符号を付して図示し、それらの説明を省略する。
【００９０】
図１１に示すように、本形態の入力機能付き表示装置１００も、実施の形態１と同様、画像生成装置としての液晶装置５と、この液晶装置５において表示光を出射する側の面に重ねて配置された静電容量型入力装置１とを有している。本形態において、液晶装置５は、透過型あるいは半透過反射型の液晶パネル５ａを備えており、液晶パネル５ａに対して静電容量型入力装置１が配置されている側とは反対側（表示光の出射側とは反対側）にはバックライト装置（図示せず）が配置されている。
【００９１】
静電容量型入力装置１において、入力パネル２は、ガラス板やプラスチック板等からなる透光性の第１基板１０と、ガラス板、プラスチック板、プラスチックシート等からなる透光性の第２基板２０とを備えている。本形態では、第２基板２０としてプラスチックシートが用いられ、第１基板１０としてガラス板が用いられている。第１基板１０の第１面１０ａには押圧位置検出用の第１電極１１が形成され、第２基板２０の第１面２０ａには押圧位置検出用の第２電極２１が複数形成されている。
【００９２】
本形態の静電容量型入力装置１および入力機能付き表示装置１００において、第１基板１０と第２基板２０とは、第２基板２０の外周縁に沿って設けられた矩形枠状のシール材３１によって所定の隙間を介して貼り合わされている。また、シール材３１の内側において、第１基板１０と第２基板２０との間には絶縁性の弾性部材４１が設けられている。
【００９３】
ここで、弾性部材４１は、シール材３１の内側において固化された透光性の樹脂組成物４１ｂからなる。かかる構成の弾性部材４１を形成するには、例えば、第１基板１０と第２基板２０とをシール材３１によって所定の隙間を介して貼り合せる際、シール材３１の一部に途切れ部分を設けて、かかる途切れ部分からシール材３１の内側にシリコーン樹脂、ウレタン樹脂、アクリル樹脂等、固化した後も弾性を備える透光性の樹脂材料を注入した後、光硬化あるいは熱硬化により、固化させる。本形態において、弾性部材４１（樹脂組成物４１ｂ）は、厚さが、１００〜５００μｍであり、２０℃の温度条件下での弾性率が１×１０4Ｎ／ｍ2以上、かつ、１×１０8Ｎ／ｍ2以下のものが用いられている。なお、第２基板２０の第２面２０ｂには矩形枠状の遮光部９２を有する透明保護フィルム９０が貼付されている。
【００９４】
また、本形態では、第１基板１０と第２基板２０とをシール材３１によって貼り合せた構造を採用していることから、第１基板１０と第２基板２０とを基板間導通を行い、第２基板２０への電気的な接続は、第１基板１０に接続するフレキシブル基板３３を介して行なう。かかる基板間導通を行なうには、第１基板１０の第１面１０ａのうち、第１電極１１を避けた領域において、第２基板２０の配線２７ａ、２７ｂの端子と重なる位置に端子１６ａを設け、シール材３１において、少なくとも端子１６ａの形成領域に塗布する部分に導電粒子を配合しておく。従って、端子１６ａとフレキシブル基板３３の配線とを電気的に接続すれば、フレキシブル基板３３の配線と、第２基板２０の配線２７ａ、２７ｂとを電気的に接続することができる。
【００９５】
このように構成した静電容量型入力装置１および入力機能付き表示装置１００でも、実施の形態１と同様、静電容量型入力装置１であっても、ペン等といった指以外での入力が可能であるとともに、第２基板２０の機械的強度が高い等、実施の形態１と同様な効果を奏する。
【００９６】
なお、本形態は、実施の形態１に対して、シール材３１を利用した構成を適用したが、実施の形態１の変形例、実施の形態２、あるいは実施の形態３に対して、シール材３１を利用した構成を適用してもよい。
【００９７】
［押圧位置検出用の電極の変形例１］
図１２は、本発明を適用した静電容量型入力装置１および入力機能付き表示装置１００に形成した押圧位置検出用の電極の変形例１を示す説明図であり、図１２（ａ）、（ｂ）は各々、計６つの第２電極２１を第２基板２０に形成した場合の説明図、および計８つの第２電極２１を第２基板２０に形成した場合の説明図である。
【００９８】
実施の形態１〜４では、第２基板２０の第２面２０ｂに複数の第２電極２１をＸ方向およびＹ方向に延在させたが、図１２（ａ）に示すように、第２基板２０の第１面２０ａにおいて、Ｘ方向に延在する複数の帯状電極２１ｓがＹ方向に並列している構成を採用してもよい。ここで、第２基板２０の第１面２０ａでは、複数の帯状電極２１ｓの各々から配線２７ｃが延在している。これに対して、第１基板１０では、実施の形態１と同様、面状の第１電極１１が形成されている。
【００９９】
また、図１２（ｂ）に示すように、第２基板２０の第１面２０ａにおいて、Ｘ方向に頂点を向ける２つの帯状電極２１ｔを斜辺同士がスリット２１ｕを介して向かい合うように配列させた電極対をＹ方向に複数対、並列させた構成を採用してもよい。ここで、第２基板２０の第１面２０ａでは、複数の帯状電極２１ｔの各々から配線２７ｄが延在している。これに対して、第１基板１０では、実施の形態１と同様、面状の第１電極１１が形成されている。
【０１００】
［押圧位置検出用の電極の変形例２］
図１３は、本発明を適用した静電容量型入力装置１および入力機能付き表示装置１００に形成した押圧位置検出用の電極の変形例２を示す説明図であり、図１３（ａ）、（ｂ）は各々、第１電極１１の構成を示す説明図、および第２電極２１の構成を示す説明図である。
【０１０１】
実施の形態１〜４では第１電極１１が面状に形成されていたが、本形態では、図１３（ａ）に示すように、第１基板１０の第１面１０ａには、入力領域２ａの全体にわたって、Ｘ方向に延在する複数本の第１電極１１が設けられているとともに、第１電極１１に電気的接続する配線１７ｅが設けられている。また、図１３（ｂ）に示すように、第２基板２０の第１面２０ａには、入力領域２ａの全体にわたって、Ｙ方向に延在する複数本の第２電極２１が設けられているとともに、第２電極２１に電気的接続する配線２７ｅが設けられている。本形態において、第１電極１１および第２電極２１いずれも、ＩＴＯ膜等の透光性導電膜からなる。
【０１０２】
ここで、第１電極１１は、菱形形状の大面積のパッド部１１５ａを複数備え、パッド部１１５ａ同士は、幅の狭い連結部分１１５ｂで繋がっている。また、第２電極２１も、第１電極１１と同様、菱形形状の大面積のパッド部２１５ａを複数備え、パッド部２１５ａ同士は、幅の狭い連結部分２１５ｂで繋がっている。
【０１０３】
かかる構成の第１基板１０と第２基板２０とは、例えば、パッド部１１５ａとパッド部２１５ａとが完全に重なるように配置される。また、第１電極１１に定電圧を印加するとともに、複数の第２電極２１に結合する静電容量を監視する処理と、第２電極２１に定電圧を印加するとともに、複数の第１電極１１に結合する静電容量を監視する処理とを行なう。
【０１０４】
かかる構成でも、入力操作を行う際、利用者は第２基板２０の所定位置を指やペン等で押圧すると、押圧個所では、第２基板２０が第１基板１０の側に撓み、第１電極１１と第２電極２１との対向距離が変化する結果、静電容量が変化する。従って、複数列の第１電極１１および第２電極２１のうち、静電容量が増大した電極を特定すれば、押圧位置の座標を特定できる。
【０１０５】
［他の実施の形態］
上記実施の形態の形態では、第１基板１０の第１面１０ａに第１電極１１が形成され、第２基板２０の第１面２０ａに第２電極２１が形成されていた。但し、第２基板２０の第２面２０ｂに第２電極２１が形成されている構成を採用してもよい。また、第１電極１１については、第１基板１０の第２面１０ｂに形成されている構成や、液晶パネル５ａの素子基板５０や対向基板６０に形成されている構成を採用してもよい。
【０１０６】
上記実施の形態１〜４では、第１電極１１が第１基板１０に面状に形成され、第２電極２１が第２基板２０に複数形成されていたが、第２電極２１が第２基板２０に面状に形成され、第１電極１１が第１基板１０に複数形成されている構成を採用してもよい。
【０１０７】
上記実施の形態では、画像生成装置として液晶装置５を用いたが、画像生成装置としては有機エレクトロルミネッセンス装置を用いてもよい。
【０１０８】
［電子機器への搭載例］
次に、上述した実施形態に係る入力機能付き表示装置１００を適用した電子機器について説明する。図１４（ａ）に、入力機能付き表示装置１００を備えたモバイル型のパーソナルコンピューターの構成を示す。パーソナルコンピューター２０００は、表示ユニットとしての入力機能付き表示装置１００と本体部２０１０を備える。本体部２０１０には、電源スイッチ２００１及びキーボード２００２が設けられている。図１４（ｂ）に、入力機能付き表示装置１００を備えた携帯電話機の構成を示す。携帯電話機３０００は、複数の操作ボタン３００１及びスクロールボタン３００２、並びに表示ユニットとしての入力機能付き表示装置１００を備える。スクロールボタン３００２を操作することによって、入力機能付き表示装置１００に表示される画面がスクロールされる。図１４（ｃ）に、入力機能付き表示装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての入力機能付き表示装置１００を備える。電源スイッチ４００２を操作すると、住所録やスケジュール帳といった各種の情報が入力機能付き表示装置１００に表示される。
【０１０９】
なお、入力機能付き表示装置１００が適用される電子機器としては、図１４に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末等の電子機器等が挙げられる。そして、これらの各種電子機器の表示部として、前述した入力機能付き表示装置１００が適用可能である。
【符号の説明】
【０１１０】
１・・静電容量型入力装置、２ａ・・入力領域、５・・液晶装置（画像生成装置）、１０・・第１基板、１１・・第１電極、２０・・第２基板、２１・・第２電極、４１・・弾性部材、４１ａ・・ゲル状シート（弾性部材）、４１ｂ・・樹脂組成物、９０・・透明保護フィルム、９１・・遮光部（遮光部材）、９９・・遮光シート（遮光部材）、９２・・遮光部、１００・・入力機能付き表示装置
【図１】
2011028476.tif 000003
【図２】
2011028476.tif 000004
【図３】
2011028476.tif 000005
【図４】
2011028476.tif 000006
【図５】
2011028476.tif 000007
【図６】
2011028476.tif 000008
【図７】
2011028476.tif 000009
【図８】
2011028476.tif 000010
【図９】
2011028476.tif 000011
【図１０】
2011028476.tif 000012
【図１１】
2011028476.tif 000013
【図１２】
2011028476.tif 000014
【図１３】
2011028476.tif 000015
【図１４】
2011028476.tif 000016